(57)【要約】【課題】多色通信モードで動作するファクシミリシステムにおいて、作像部の使用条件に適応させて受信側で多色モードの動作条件の設定を可能にし、利便性を向上させる。【解決手段】受信側が例えば２色印刷機能を持つ場合、送信側は２色の色毎にページ画像を生成、画像記憶部１５に格納し、送信の際ＦＡＸ制御部１９から２ページの画像を一通信単位として送信する２色通信モードの動作を行う。受信側で、２色通信モードの受信を可能とする宣言をするか否かをユーザ操作により指示し、指示に従って単色／２色の動作モードを選択することで、使用形態の多様化を図る。２色印刷の作像部の一方が使用不能である場合、受信した２色データの代行処理（画像合成部２０で２色を合成し単色で印刷／印刷せず代行受信）をユーザ操作により設定可能とし、印刷出力の異常を回避し、利用可能な出力を得る。【選択図】　　　　図１
2004072338.tif 000002
【特許請求の範囲】
【請求項１】
受信画像データ及び通信制御データを通信プロトコルに従い処理する通信処理手段と、受信画像データをもとに描画データを生成する描画データ生成手段と、複数色の現像材を用いて描画データに基づく多色画像の作像を行う作像手段を有するファクシミリ装置であって、前記通信処理手段は、作像に用いる複数色の現像材の各色毎に生成されたページ画像データを一通信単位として受信する手段、該受信方式が適用可能であることをプロトコルに宣言する手段、該宣言をするか、否かを指示する手段を備えることによって多色通信モードの処理を行うようにし、描画データ生成手段は、受信した複数の現像材の各色毎に生成されたページ画像データに基づいて一枚の多色画像を作像するための描画データを生成するようにしたことを特徴とするファクシミリ装置。
【請求項２】
請求項１に記載されたファクシミリ装置において、前記描画データ生成手段は、作像手段における各色の作像部のいずれかが使用不可能な場合に、使用不可能な作像部に用いるページ画像データを他の使用可能な作像部に用いるページ画像データに合成し、前記作像手段は、合成したページ画像データを使用可能な作像部に用いて代行作像を行うようにしたことを特徴とするファクシミリ装置。
【請求項３】
受信画像データ及び通信制御データを通信プロトコルに従い処理する通信処理手段と、受信画像データをもとに描画データを生成する描画データ生成手段と、複数色の現像材を用いて描画データに基づく多色画像の作像を行う作像手段を有するファクシミリ装置であって、前記通信処理手段は、作像に用いる複数色の現像材の各色毎に生成されたページ画像データを一通信単位として受信する手段、該受信方式が適用可能であることをプロトコルに宣言する手段を備えることによって多色通信モードの処理を行うようにし、前記描画データ生成手段は、受信した複数の現像材の各色毎に生成されたページ画像データに基づいて一枚の多色画像を作像するための描画データを生成し、その際、作像手段における各色の作像部のいずれかが使用不可能な場合に、使用不可能な作像部に用いるページ画像データを他の使用可能な作像部に用いるページ画像データに合成し、前記作像手段は、合成したページ画像データを使用可能な作像部に用いて代行作像を行うようにしたことを特徴とするファクシミリ装置。
【請求項４】
請求項２又は３に記載されたファクシミリ装置において、作像手段における各色の作像部のいずれかが使用不可能な場合に、前記代行作像を行うか、否かを指示する手段を備えたことを特徴とするファクシミリ装置。
【請求項５】
原稿画像の色成分信号を読み取る原稿読み取り手段と、読み取った色成分信号をもとに送信画像データを生成する送信画像生成手段と、送信画像データ及び通信制御データを通信プロトコルに従い処理する通信処理手段と、動作条件の設定入力操作を対話形式で行うための表示部を持った入力操作手段を有するファクシミリ装置であって、前記送信画像生成手段は、多色通信モード時に受信側で作像に用いる複数色の現像材の各色毎にページ画像データを生成し、前記通信処理手段は、送信画像生成手段で生成した複数のページ画像データを一通信単位として送信し、該送信方式により送信することを受信側に通知するとともに受信側から該送信方式が適用可能であることを宣言するプロトコルを得、前記入力操作手段は、前記送信方式が適用可能であることがプロトコルに宣言されていない場合に対応して、その旨を表すメッセージを表示部に示すようにしたことを特徴とするファクシミリ装置。
【請求項６】
請求項１乃至４のいずれかに記載されたファクシミリ装置と請求項５に記載されたファクシミリ装置とを通信手段を介して接続し、システムを構成したことを特徴とするファクシミリシステム。
【発明の詳細な説明】
【０００１】
【発明が属する技術分野】
本発明は、複数色の現像材を用いた多色印刷が可能なファクシミリ装置に関し、より特定すると、印刷に用いる複数色の現像材の各色毎に生成したページ画像データを一通信単位として送・受信し、受信側では受信した各色毎のページ画像データをもとに一枚の多色画像を作像することを可能にした多色通信モードの動作を行うようにしたファクシミリ装置（システム）に関する。
【０００２】
【従来の技術】
従来より二色或いは多色原稿のファクシミリ送受信を行うシステムに関して様々な提案がなされている。
その中で、国際的に標準化された方式（ＣＣＩＴＴ勧告Ｔ４）に準拠する方式で多色原稿の送信を効率化する方法について、特許第２８２４９９０号（画像通信方法）に提案されている。ここでは、Ａ（原稿作成者）⇔Ｂ（添削者）というケースを好適な実施例としてを挙げ、
１回目：Ａ（作成原稿の黒送信、メモリに保存）⇒Ｂに送る。ここで、Ｂは受信した原稿画像に対して赤で添削し、
２回目：Ｂ（添削した赤部分だけを対象に）⇒Ａに送る。このとき、添削部分だけを受け取ったＡは２回目に受信した画像と１回目の送信時にメモリに保存しておいた原稿画像を合成して２色印刷する。
という動作を可能とするものである。つまり、この従来例は、基本的に原稿が持つ複数（多）色の色情報を一色に限定して送ることにより、上記した実施例のケースに示すように、情報交換時の通信時間や情報量を節減し、効率の向上をねらったものである。
しかしながら、特許第２８２４９９０号では、一通信では一色のデータしか送信できないので、任意の多色の原稿画像を片道で送るという要求に応えることができないし、この例には開示されていないが、仮に二回に分けて送信して合成するという方法をとったとしても、その場合には、一色ずつ二通信を行う必要があり、効率が悪い。
【０００３】
また、特開平５−２２６１７号（ファクシミリ通信方法）では、２色（赤・黒）画像を１ぺージとして送る方式であり、１ぺージの画像データにおいてその画素毎に赤・黒を識別する情報を埋め込んだ画情報を作成し、送る（２色モードキー９２押下時の動作）ものである。この方式では、送受信側双方に１ぺージ中の赤・黒情報を識別しながら圧縮伸張するので、そのための手段が必要である。なお、この従来例には、赤・黒画像を２ぺージにぺージ分けして送信するモード（送信モードキー９３の押下により設定される動作モード）についても述べているが、受信機側が単一色の画像再現機能を持つ場合に限定して、適用することを開示している。
しかしながら、特開平５−２２６１７号では、１ぺージ中の赤・黒情報を識別しながら圧縮伸張するので、送受信側双方にそのための手段が必要であり、２色印刷を実現する為の圧縮伸張部が複雑な構成になってしまう。この例に開示された赤・黒画像を２ぺージにぺージ分けして送信するモードの動作は、受信機側が単一色の画像再現機能を持つ場合に限定されており、この動作モードによる２色印刷を実現することは未解決の技術課題として残っている。
【０００４】
【発明が解決しようとする課題】
そこで、上記した従来技術における問題点の解決を図るべく、本願の発明者は、任意の多色原稿画像をもとに受信側で実現し得る多色印刷に用いる画像データを生成し、生成した画像データを効率よく送受信することにより、高パフォーマンス化を図ることを意図したファクシミリ装置（システム）を提案している（特願２００２−２２７２０８号、以下「先行技術」という）。
この先行技術は、要するに、受信側で多色印刷に用いる複数の現像材の各色毎のページ画像データを一通信単位として伝送する方式により送信側からＦＡＸ送信を行うことにより、受信側で行う多色印刷出力に適した形態で効率よく画像データの伝送、出力処理をする、多色通信モードの動作を行うようにしたものである。また、この先行技術では、多色通信モードの動作を行う場合、受信側がこの動作モードが適用可能であることを通信プロトコルに宣言するので、この宣言に従って送信側では設定された多色通信モードの動作を実行するという方法を採用している。
【０００５】
しかしながら、上記先行技術の方法では、多色印刷の機能を持った受信機が通信手順に従い送信要求を受け入れＦＡＸ受信をした時には多色印刷機能を専ら利用するという状況を想定し、それ以外の条件で動作させることを考慮していない。よって、受信側の使用条件、例えば、多色印刷の作像部の一部の使用を制限したい場合、或いは単色の印刷をユーザーが要求する場合、等に適応できず、不都合が生じる場合がある。
また、先行技術では、多色印刷の作像部の一部が使用不能である場合に、多色通信モードのＦＡＸ受信をし、多色印刷をすると、印刷出力の異常という、望ましくない結果を生じるが、このような場合への対応策が講じられていない。
本発明は、上述の先行技術における問題点に鑑みてなされたもので、その目的は、先行技術と同様に多色通信モードで動作するファクシミリ装置及びファクシミリシステムにおいて、例えば、多色印刷の作像部の一部の使用を制限したい場合、或いはユーザーの要求が単色による印刷である場合等の受信側の使用条件に適応させて動作条件の設定を可能にし、利便性を向上させた前記ファクシミリ装置及びファクシミリシステムを提供することにある。
また、上記先行技術と同様に多色通信モードで動作するファクシミリ装置及びファクシミリシステムにおいて、上記に問題点として指摘した多色印刷の作像部の一部が使用不能である場合の印刷出力の異常を回避し、利用可能な出力を得ることを可能にする手段を備えた前記ファクシミリ装置及びファクシミリシステムを提供することをさらなる目的とする。
【０００６】
【課題を解決するための手段】
請求項１の発明は、受信画像データ及び通信制御データを通信プロトコルに従い処理する通信処理手段と、受信画像データをもとに描画データを生成する描画データ生成手段と、複数色の現像材を用いて描画データに基づく多色画像の作像を行う作像手段を有するファクシミリ装置であって、前記通信処理手段は、作像に用いる複数色の現像材の各色毎に生成されたページ画像データを一通信単位として受信する手段、該受信方式が適用可能であることをプロトコルに宣言する手段、該宣言をするか、否かを指示する手段を備えることによって多色通信モードの処理を行うようにし、描画データ生成手段は、受信した複数の現像材の各色毎に生成されたページ画像データに基づいて一枚の多色画像を作像するための描画データを生成するようにしたことを特徴とするファクシミリ装置である。
【０００７】
請求項２の発明は、請求項１に記載されたファクシミリ装置において、前記描画データ生成手段は、作像手段における各色の作像部のいずれかが使用不可能な場合に、使用不可能な作像部に用いるページ画像データを他の使用可能な作像部に用いるページ画像データに合成し、前記作像手段は、合成したページ画像データを使用可能な作像部に用いて代行作像を行うようにしたことを特徴とするものである。
【０００８】
請求項３の発明は、受信画像データ及び通信制御データを通信プロトコルに従い処理する通信処理手段と、受信画像データをもとに描画データを生成する描画データ生成手段と、複数色の現像材を用いて描画データに基づく多色画像の作像を行う作像手段を有するファクシミリ装置であって、前記通信処理手段は、作像に用いる複数色の現像材の各色毎に生成されたページ画像データを一通信単位として受信する手段、該受信方式が適用可能であることをプロトコルに宣言する手段を備えることによって多色通信モードの処理を行うようにし、前記描画データ生成手段は、受信した複数の現像材の各色毎に生成されたページ画像データに基づいて一枚の多色画像を作像するための描画データを生成し、その際、作像手段における各色の作像部のいずれかが使用不可能な場合に、使用不可能な作像部に用いるページ画像データを他の使用可能な作像部に用いるページ画像データに合成し、前記作像手段は、合成したページ画像データを使用可能な作像部に用いて代行作像を行うようにしたことを特徴とするファクシミリ装置である。
【０００９】
請求項４の発明は、請求項２又は３に記載されたファクシミリ装置において、作像手段における各色の作像部のいずれかが使用不可能な場合に、前記代行作像を行うか、否かを指示する手段を備えたことを特徴とするファクシミリ装置ものである。
【００１０】
請求項５の発明は、原稿画像の色成分信号を読み取る原稿読み取り手段と、読み取った色成分信号をもとに送信画像データを生成する送信画像生成手段と、送信画像データ及び通信制御データを通信プロトコルに従い処理する通信処理手段と、動作条件の設定入力操作を対話方式で行うための表示部を持った入力操作手段を有するファクシミリ装置であって、前記送信画像生成手段は、多色通信モード時に受信側で作像に用いる複数色の現像材の各色毎にページ画像データを生成し、前記通信処理手段は、送信画像生成手段で生成した複数のページ画像データを一通信単位として送信し、該送信方式により送信することを受信側に通知するとともに受信側から該送信方式が適用可能であることを宣言するプロトコルを得、前記入力操作手段は、前記送信方式が適用可能であることがプロトコルに宣言されていない場合に対応して、その旨を表すメッセージを表示部に示すようにしたことを特徴とするファクシミリ装置である。
【００１１】
請求項６の発明は、請求項１乃至４のいずれかに記載されたファクシミリ装置と請求項５に記載されたファクシミリ装置とを通信手段を介して接続し、システムを構成したことを特徴とするファクシミリシステムである。
【００１２】
【発明の実施の形態】
本発明のファクシミリ装置及びファクシミリシステムを添付する図面とともに示す以下の実施形態に基づき説明する。
本発明は、多色印刷が可能なファクシミリシステムにおいて通信効率を良くし高パフォーマンス化を図るために導入された“多色通信モード”で動作するシステム（先行技術：特願２００２−２２７２０８号、参照）の改善に係わり、一つは受信側で該モードによる動作を可能とするか否かを指示することにより、利用形態の多様化を図り、もう一つは多色印刷の作像部の一部が使用不能である場合の印刷出力の異常を回避し、利用可能な出力を得るようにする、というそれぞれ多色通信モードの動作における改善を図るものである。
なお、以下の実施形態には、ＦＡＸ送信側・受信側双方共に同じファクシミリ装置（即ち同じ送信・受信機能を持つ）を用いてファクシミリシステムを構成し得るような形態で、ファクシミリ装置及びファクシミリシステムを構成したものを例示する。
【００１３】
図１は本実施形態に係わるファクシミリ装置の処理システムのハード構成を示したブロック図である。本例は、受信側で実現し得る多色印刷に用いる色を２色（赤・黒）にした場合で、１枚の多色原稿から受信側の２色印刷に対応して生成した各色のページ画像データを２色通信モードにより送受信し、赤・黒で２色印刷する場合の実施形態である。
図１を参照すると、ＣＰＵ１１はＣＰＵのアドレスバス及ぴデータバスを介してファクシミリ装置の処理システムを構成する全ての要素部と接続し、ＲＯＭ１２に格納されたこの処理システム全体を制御するための各種プログラムに従って、バス接続されている各要素部を制御する。よって、ＲＯＭ１２には、ＦＡＸ機能やコピー機能（なお、本例ではコピー機能を複合させて有する）を用いるときの一連の処理（スキャナー読み取り、読み取り画像からＦＡＸ／コピーデータを生成する画像処理、ＦＡＸ送信／受信、ＦＡＸ／コピーデータによるプリンター出力等）を含め本装置の全ての動作を制御するためのプログラムを格納している。
ＲＡＭ１３は、ＣＰＵ１１がプログラムに従い制御・処理動作を実行するときにワークメモリとして使用する。従って、入力操作部１４からジョブ毎に指示されるモード設定等の動作条件の設定データを記憶する場所として通常用いられている通りに、本実施形態においてもこのメモリを利用する。
【００１４】
操作部１４は、コピー機能やＦＡＸ機能を利用するときにユーザーが動作条件を設定するための入力操作に用いる。ユーザーと対話（ダイアログ）方式で入力操作ができる、例えば液晶タッチパネルのような手段を採用することが望ましい。後記で詳述する“多色通信モード”の設定や設定操作の際に必要なメッセージの表示等も液晶タッチパネルを用いて実施することができる。
画像記憶部１５は、コピーやＦＡＸの処理対象となる画像を格納するために用いる記憶部で、その一部に多色通信、多色印刷処理に係って生成される特定の色画像の記憶部や後述する合成画像の記憶部を設ける。本例は２色モードの形態を例示しているので特定色の画像部を第１色（赤）画像部１５Ｒ、第２色（黒）画像部１５Ｂとし、合成画像の記憶部を合成画像部１５Ａとする。
読み取り部１６（図４における原稿読み取り部３６、参照）は、コピー／ＦＡＸ原稿の画像読み取り、ＦＡＸ送信用のデータ（多色印刷に用いる各色毎のページ画像データ）を生成する。本例では、ＲＧＢ分解部１６Ａでカラー構成色のＲＧＢ各色成分データとして原稿画像の読み取りを行い、読み取ったデータをもとに２色識別部１６Ｄ、２値化部１６ＣでＦＡＸ送信用のデータ（なお、コピー機能使用時には、コピー用の描画データでもよい）を生成する。
【００１５】
第１現像部（黒）１７は、第２色（黒）画像部１５Ｂから読み出したデータをもとに黒の現像を行う。本例では電子写真プロセスを用いるので、現像は読み出したデータによって駆動される光源によって感光体への光書き込みを行い、そこに静電潜像を形成させる。
第２現像部（赤）１８は、第１色（赤）画像部１５Ｒから読み出したデータをもとに赤の現像を行う。この場合も光書き込みにより感光体上に静電潜像を形成させる。
ＦＡＸ制御部１９は、圧縮伸張部１９Ｃ、モデム部１９Ｍ、ＮＣＵ部１９を備え、ＦＡＸ送信／受信画像データ及び通信制御データを通信プロトコルに従って処理する。本例では、２色通信モードによる送信／受信（詳細は後述）を可能とする。
画像合成部２０は、現像部の一部（本例では、第１現像部（黒）１７、第２現像部（赤）１８のいずれか）を使用不可としたときに代行作像を行うために使用不可とした作像部に用いるページ画像を合成する処理をする。合成後の画像を合成画像部１５Ａに格納する。
【００１６】
次に、図１に示したこの実施形態のファクシミリ装置が行う多色通信モード（本例では２色通信モード）のＦＡＸ送信／受信処理の流れを説明する。
本装置の原稿台（図４の原稿載置部３５、参照）にＦＡＸ原稿をセットし、操作部１４よりＦＡＸ送信の宛先を入力しスタートキーを押下する。これによりＦＡＸ送信処理が開始され、まず、原稿読み取り部１６内のＲＧＢ分解部１６Ａより画素ごとのＲＧＢ成分を２５６分解能で抽出し、得たＲＧＢ成分から２色識別部１６Ｄによって各画素が黒か赤かを識別する。このとき、黒と赤の判定は以下に示す条件による。
「黒判定条件」：ＲＥＤ値＜（ＲＥＤ用黒スレッシュ値）　かつ
ＧＲＥＥＮ値＜（ＧＲＥＥＮ用黒スレッシュ値）　かつ
ＢＬＵＥ値＜（ＢＬＵＥ用黒スレッシュ値）
ならば、この画素は黒とする。
「赤判定条件」；ＲＥＤ値＞（ＲＥＤ用赤スレッシュ値）　かつ
ＧＲＥＥＮ値＜（ＧＲＥＥＮ用赤スレッシュ値）　かつ
ＢＬＵＥ値＜（ＢＬＵＥ用赤スレッシュ値）
ならば、この画素は赤とする。
上記した黒か赤かの識別処理を原稿内の全画素に対して行い、各色毎にそれぞれのページ画像データを生成して、画像記憶部１５に格納する。つまり、原稿内の赤部分を赤画像として画像記憶部１５の第１色（赤）画像部１５Ｒに格納する。また、原稿内の黒部分を同様に黒画像として第２色（黒）画像部１５Ｂに格納する。
【００１７】
次に、ＦＡＸ制御部１９のＮＣＵ部１９Ｎから宛先に発呼し網接続を行う。
この後、２色通信モードのＦＡＸ伝送手順を実行する。ここでは原稿画像から送信データとして処理され、画像記憶部１５に各色（赤・黒）毎にそれぞれ格納したページ画像データを一通信単位として受信側に伝送する手順を行う。
図２は、本実施形態の２色通信モードのＦＡＸ伝送手順を示すチャートである。
図２を参照すると、発呼の着信により回線接続が確保されると、先ず受信機側では、ＣＥＤ信号を送出する（手順１）。その後ＮＳＦ（Ｓ）にて受信機側の機能を宣言する（手順２）。具体的にはＮＳＦ（Ｓ）の２色通信モードの受信が可能であることを示す情報を有効にして、送信機側に通知する（例えば、ＮＳＦ（Ｓ）内のＦＩＦのＢｉｔ８７を“１”にする）。
受信機側から機能の宣言を受け取る送信機側はＮＳＦ（Ｓ）を解析し、２色受信可能であれば、ＮＳＳ（Ｓ）にて２色通信モードの送信であることを示す情報を有効にして（例えば、ＮＳＳ（Ｓ）内のＦＩＦのＢｉｔ８７を“１”にする）、今からの原稿（画情報）送信を２色通信モードにより行うことを受信機側に通知する（手順３）。
この後、送信機側は画情報を送る前の事前トレーニング（通称ＴＣＦと呼ばれる）として、“０”データを１〜５秒間送信して（手順４）、受信機側で受信状態をチェックできるようにする。ＴＣＦデータを受け取る受信機側では、受けた“０”データが“１”に化けている数が予め定められた基準値（動作管理用の情報としてＲＡＭ１３に格納しておく）以下であれば、回線良好と判断し、ＣＦＲを送信機側に返す（手順５）。
【００１８】
次に、送信機側はＣＦＲを確認して、原稿画情報を送信する。ここでは、２色各々のページ画像データを一通信単位として受信側に伝送する。手順としては、まず第１色（赤）画像を送るが、その方法は、通常の白黒データ画像と全く同じＦＡＸ通信手順を行うことによる。即ち、第１色（赤）画像部１５Ｒより画情報を１ラインごとリードし、圧縮伸長部１９Ｃにて圧縮し、圧縮後のデータをモデム部１９Ｍ、ＮＣＵ部１９Ｎを経由して回線へと送る（手順６）。この第１色（赤）のページ画像を受け取る受信機側では、ＮＣＵ部１９Ｎ、モデム部１９Ｍを経由して受信したデータを１ラインごとに圧縮伸長部１９Ｃにて復調した後、復調後のデータをそのまま第１色（赤）画像部１５Ｒへ格納する。
次いで、送信機側は、引き続いて第２色（黒）のぺージ画像を送る必要があるので、ＭＰＳ信号を送る（手順７）。また、このＭＰＳ信号を受け取る受信機側は、第１色（赤）画像を正常に受信できたので、ＭＣＦを送信機側に返す（手順８）。　送信機側は、受信機からのＭＣＦを受信したら、２ぺージ目として第２色（黒）画情報を送る。この処理も第１色（赤）画情報送信と同じように、第２色（黒）画像部１５Ｂより画情報を１ラインごとリードし、圧縮伸長部１９Ｃにて圧縮し、圧縮後のデータをモデム部１９Ｍ、ＮＣＵ部１９Ｎを経由して回線へと送る（手順９）。これを受け取る受信機側では、ＮＣＵ部１９Ｎ、モデム部１９Ｍを経由して受信したデータを１ラインごとに圧縮伸長部１９Ｃにて復調した後、復調後のデータをそのまま第２色（黒）画像部１５Ｂへ格納する。
本例は２色通信モードであり、第２色（黒）のぺージ画像が最終ぺージであるから、ここで、送信機側はＥＯＰを受信機に送る（手順１０）。このＥＯＰを受け取る受信機側は、第２色（黒）画像を正常に受信できたので、ＭＣＦを送信機側に返す（手順１１）。
送信機側は、受信機からのＭＣＦを受信したら、ＤＣＮを受信機側に返し（手順１２）、原稿１枚の２色通信モードの伝送手順を終了し、回線を開放する。
【００１９】
本発明に係わるファクシミリ装置（システム）は、図１，２を参照して上記にて説明した２色通信モードのＦＡＸ送信／受信処理機能を有することを前提として、その改善を図るものである。具体的には、受信側で該モードによる動作を可能とするか否かを指示するようにし、指示に従って動作モードを選択し、利用形態の多様化を図り、さらに多色印刷の作像部の一部が使用不能である場合の印刷出力の異常を回避し、利用可能な出力を得るようにする、という課題を解決することにある。
以下に、この課題を解決するための手順を備えた本発明の実施形態を示す。
先ず、受信機側で実行する２色通信モード時の動作により本実施形態を説明する。図３は、受信機が実行する２色通信モード時の一連の受信・印刷処理のフローを例示する図である。
図３に示すように、２色受信モードの手順（図２参照）に従って進行する本例のフローを開始すると、まず、“２色通信モードの機能有り”を宣言することの指示が出されているか、否かをチェックする（Ｓ１１）。
これは、送信機側にＮＳＦ（Ｓ）を送信することにより受信機側の機能を宣言するが、その際“２色通信モードの機能有り”の宣言も含まれるので、これを宣言するか否かを決めるための手順である。つまり、本実施形態では、２色モードに対応可能であるから自動的に有りを宣言するという方法を採らずに、受信側で有りを宣言するか、否かを指示することができるようにして、その指示に従って宣言するか、否かが決まる。例えば、２色印刷の作像部の片方の使用を制限したい場合、或いは単色で印刷することをユーザーが望む場合等の受信側で要求された使用条件に適応させて動作条件の設定を可能にし、利用形態の多様化を図ることを可能にする。従って、この宣言をするか、否かの指示は、ユーザー等の操作により必要なときに設定ができるようにする。この設定を行うための手段として、例えば、入力操作部１４の液晶タッチパネルから設定できるようにし、そのための入力操作画面を用意する。
ユーザーの設定により“２色通信モードの受信可能を宣言する／しない”が指示されると、この情報は設定情報の一つとしてＲＡＭ１３に格納される。
【００２０】
本フローにおける手順としては、ＲＡＭ１３に格納されている“２色通信モードの受信可能を宣言する／しない”の設定情報をリードして、“宣言する”に設定されている場合には（Ｓ１１−する）、ＮＳＦ（Ｓ）の２色受信可能であることを示す情報を有効にする（例えば、ＮＳＦ（Ｓ）内のＦＩＦのＢｉｔ８７を１にする）。他方、“宣言しない”に設定されている場合には（Ｓ１１−しない）、ＮＳＦ（Ｓ）の２色受信可能であることを示す情報を無効にする（例えば、ＮＳＦ（Ｓ）内のＦＩＦのＢｉｔ８７に１がデフォルトされている場合、１を取り消す）。
この手続きをした後、ＮＳＦ（Ｓ）を送信機側に送信することにより、２色通信モードによる動作が可能であることを通知する（Ｓ１４）。この通知を受ける送信機側はＮＳＦ（Ｓ）を解析し２色受信可能であれば、ＮＳＳ（Ｓ）の２色送信であることを示す情報を有効にして（例えば、ＮＳＳ（Ｓ）内のＦＩＦのＢｉｔ８７を１にする）今から送る原稿が２色送信であることを通知する。
受信機側は、送信機側からのＮＳＳ（Ｓ）を受信し（Ｓ１５）、ＮＳＳ（Ｓ）を解読して２色受信モードが指示されているか否かを調べ（Ｓ１６）、指示されていない場合には、通常モードの動作、即ち１ページ目の画情報の印刷を直ちに行うように、受信した画情報をプロッタ（現像）部へ出力し（Ｓ１７）、このフローを終了させる。
【００２１】
他方、２色受信（印刷）モードが指示されている場合には（Ｓ１６−はい）、２色動作モードに入り、１ぺージ目として第１色（赤）画情報を受信し（Ｓ１８）、受信完了を確認し、受信結果が正常であったかをチェックする（Ｓ１９）。
正常に受信した場合には、１ぺージ目の画情報を第１色（赤）画像部１５Ｒへ格納し（Ｓ２０）、同時に送信機側からのＭＰＳ信号に応答して、ＭＣＦ（ＯＫ）を返す（Ｓ２１）。
次いで、２ぺージ目の画情報の送信を待って、２ぺージ目として第２色（黒）画情報を受信し（Ｓ２２）、１ページと同様に受信完了を確認し、受信結果が正常であったかをチェックする（Ｓ２３）。
正常に受信した場合には、２ぺージ目の画情報を第２色（黒）画像部１５Ｂへ格納し（Ｓ２４）、同時に送信機側からのＭＰＳ信号に応答して、ＭＣＦ（ＯＫ）を返す（Ｓ２５）。
なお、上記のフローで、各ページ画像の受信結果に異常が見つかった場合には（Ｓ１９−いいえ，２３−いいえ）、エラー処理をして（Ｓ３２）、このフローを終了させる。
【００２２】
２色の受信を終え、１ぺージ目の画情報を第１色（赤）画像部１５Ｒに、又２ぺージ目の画情報を第２色（黒）画像部１５Ｂへ格納した後、これらの画情報を用いて一枚の用紙への作像を行って、２色印刷結果を得るための手順に移行する。
ただし、本実施形態では、ここで、直ちに２色印刷の処理手順を実行せずに、設定された使用条件を確認して、設定条件に従った処理を行う。これは、作像部の一部が使用不可である場合の印刷出力の異常を回避し、作像部の一部が使用不可である場合に対して指示された代行処理を行うことを可能にするためである。本例では、代行処理として、代行印刷、即ち、使用可能な作像部で単色印刷（２色の合成画像を用いる）を行うか、或いは単色印刷をしないで代行受信をする、という対応を選択できるようにする。
また、このような動作を可能にするための使用条件の指示は、ユーザー等の操作により必要なときに設定ができるようにする。この設定を行うための手段として、例えば、入力操作部１４の液晶タッチパネルから設定できるようにし、そのための入力操作画面を用意する。
ユーザーの設定により“作像部の一部が使用不可か／否か”さらに使用不可の場合“使用可能な色だけで作像する／しない”が指示されると、この情報は設定情報の一つとしてＲＡＭ１３に格納される。
【００２３】
本フローにおける手順としては、２色印刷機能を利用できるか、いずれか一方の作像部の使用が不可であるかを確認し、即ちＲＡＭ１３に格納されている“作像部の一部が使用不可か／否か”の設定情報をリードして、“使用不可”に設定されていない場合には（Ｓ２６−いいえ）、２色印刷による正常な出力処理を行う。つまり、２ぺージ目の画情報を用いて第１現像部（黒）１７で作像を行い（Ｓ２７）、１ぺージ目の画情報を用いて第２現像部（赤）１８で作像を行う（Ｓ２８）、という各色の画像を同時動作を可能な方式によって出力処理を行う。この処理の後、本フローの処理を終了させる。
他方、“作像部の一部が使用不可”に設定されている場合には（Ｓ２６−はい）、さらにＲＡＭ１３に格納されている“使用可能な色だけで作像する／しない”の設定情報をリードして、その設定により処理を分岐する。
ここで、“使用可能な色だけで作像する”に設定されている場合には（Ｓ２９−はい）、使用可能な作像部で単色による代行印刷を行う（Ｓ３０）。代行印刷処理は、２色の合成画像を用いるので、第１色（赤）画像部１５Ｒの１ぺージ目の赤画像の先頭アドレスとサイズ情報（例、Ａ４）及び第２色（黒）画像部１５Ｂの２ぺージ目の黒画像の先頭アドレスとサイズ情報（例、Ａ４）を画像合成部２０に指示することで画像合成され、合成後の画像は合成画像部１５Ａへ格納される。次いで、合成画像部１５Ａをリードした後、使用可能な作像部で合成画像を用いて作像を行い印刷出力をして、本フローの処理を終了させる。
また、ステップＳ２９で“使用可能な色だけで作像する”に設定されていない場合には（Ｓ２９−いいえ）、受信した各色毎の２ページの画像は印刷出力しないで代行受信をする（Ｓ３１）。代行受信は、その後、例えば、故障現像部の故障による場合には、その復旧後に２色で印刷開始することができるように、第１色（赤）画像部１５Ｒ及び第２色（黒）画像部１５Ｂに各色のページ画像を格納したまま、手順を中断して、一応本フローの処理を終了させる。
【００２４】
ここで、上記処理フロー（図３）における２色印刷出力の処理を、本実施形態のファクシミリ装置（図１〜３）のメカニカル部の構成を示す概略図を示す図４をさらに参照して、より詳細に説明する。なお、図４中の太い矢印は処理される印刷用紙の流れを示す。
受信機側において、上述した２色通信モードの受信処理を行うことにより第１色（赤）画像部１５Ｒと第２色（黒）画像部１５Ｂにそれぞれ既に格納されている赤と黒の画像を用いた印刷処理を行う。印刷処理を開始すると、まず給紙部のトレイ６１，６２より用紙を作像部に向けて給紙し、その用紙をレジストセンサー５０で一旦停止させる。
黒画像の作像については、第２色（黒）画像部１５Ｂより画像をリードした後、この画像データを用いて感光体ドラム４１に黒画像の潜像を形成するための光書き込みを行う。光書き込みは、ＬＤ（レーザダイオード）発光制御部４４で画像データによるレーザ発光の制御をして画素ドットを書き込んでいく。その際に副走査方向に回転する感光体ドラム４１に対してポリゴンモーター４５によりレーザビームを主走査させ、第１露光部４３でドラムに対するビーム露光を行うことにより黒画像の潜像を形成する。潜像に対しては、この後、黒トナー現像部４６にて潜像画像にトナーを付着させることで黒画像の可視像を得る。
赤画像の作像については、第１色（赤）画像部１５Ｒより画像をリードした後、この画像データを用いて感光体ドラム４１に赤画像の潜像を形成するための光書き込みを行う。光書き込みは、ＬＥＤアレイ４７で画像データによる発光の制御をして画素ドットを書き込んでいく。その際に副走査方向に回転する感光体ドラム４１に対してＬＥＤアレイ４７を主走査させ、第２露光部４２でドラムに対する露光を行うことにより赤画像の潜像を形成する。潜像に対しては、この後、赤トナー現像部４８にて潜像画像にトナーを付着させることで赤画像の可視像を得る。
形成した可視像を用紙に転写するために、レジストセンサー５０の位置で一旦停止させていた用紙を感光体ドラム４１上の可視像の先頭と用紙の先頭が転写部で一致するタイミングで用紙を再スタートさせ、転写ベルト４９上に用紙を搬送させながら、感光体ドラム４１上の黒及び赤トナー像を用紙に転写させ、転写後、定着ユニット５１で付着したトナーを用紙に熱圧着させ、この定着処理を経て排紙することで、赤・黒の２色画像の印刷出力を得ることができる。
なお、本例の装置では送信機側で選択した２色と出力結果の２色の色はかならずしも一致しない。あくまで、送信機側から送った１ページ目が、受信機側にセットされている第２現像部の色で作像され送信機側から送った２ページ目が、受信機側にセットされている第１現像部の色で作像されるものである。
【００２５】
次に、上記した２色通信モードの伝送手順（図２）及び受信機側で行われる２色通信モード時の一連の受信・印刷処理（図３）に従って送信機が２色送信モードとして実行可能な一連の送信処理について、図５に例示する処理フロー図に基づいてさらに説明する。
本実施形態では、受信機側で行われた“２色通信モードの受信可能を宣言する／しない”の設定により、利用できる印刷機能が変わる（例えば２色機の場合、２色機として利用可能か、１色機として利用可能かが変わる）ので、受信側の印刷機能の宣言に対応した動作を可能にする。なお、本例のフローでは、操作部１４からＦＡＸ送信を装置に対して指示するときに、同時に２色通信モードをユーザーオペレーションにより設定することを可能にしており、ここでは、原稿の読み取り色（読み取り画像から各ページ画像データを生成するときの指定色）を“赤と黒”、“２色指定（予め用意された複数色の中から任意に選択した色）”、“１色指定（他方は黒）”といった指定を選び、設定できる実施形態を示す。
図５に示すように、２色送信モードの処理が可能な本例のフローを開始すると、まず接続した宛先の受信機が送信してくるＮＳＦ（Ｓ）を受信する（Ｓ５１）。
ＮＳＦ（Ｓ）の受信後、ＮＳＦ（Ｓ）に２色通信モードの受信機能を有することが宣言されているかを調べ（Ｓ５２）、受信機側が２色通信モードの受信機能を持たない場合には、送信を中止する（Ｓ６９）。その時に、２色通信モードによる送信を要求したユーザーに対して、送信の中止と受信機側の２色通信モードによる受信不可を知らせるために、入力操作部１４の表示部に“相手機に２色機能がありません”のメッセージを画面表示し（Ｓ７０）、その後、本フローを終了させる。
【００２６】
他方、受信機側が２色通信モードの受信機能を持つ場合には、２色通信モードの実行指示をＯＮにしたＮＳＳ（Ｓ）を受信機側に送信する（Ｓ５３）。
次いで、読み取り部１６に原稿の読み取り動作を指示するが、その前に、２色送信モードの動作条件の設定を行うために、ユーザー設定をチェックする。
このチェックは、ＦＡＸ原稿の読み取り画像から各ページ画像データを生成するときの指定色の設定を調べて、動作条件を確定するために行うものであり、先ず、第１、第２の各ページ画像を生成するための２色が指定されているかをチェックする（Ｓ５４）。ここで、２色が指定されている場合に、この指定が「赤と黒」の指定であるか否かをチェックする（Ｓ５５）。チェックの結果、「赤と黒」の指定ではない場合、さらに「１色指定（他方は黒）」の指定（即ち、第２色に第１指定色以外の残余色成分を全て含ませる）であるか否かをチェックする（Ｓ５６）。このステップＳ５６のチェック結果により、「２色指定」か「１色指定（他方は黒）」かが判定されることになり、「１色指定（他方は黒）」の場合には第１指定色以外の残余色成分を全て第２色として扱う指定をする（Ｓ５７）。
ステップＳ５４〜５７によりユーザーオペレーションにより設定された２色送信モード動作条件（指定色）を確定し、その結果に従ってＦＡＸ原稿の読み取り画像から第１、第２の各ページ画像データを生成するときに読み取り部１６（２色識別部１６Ｄ）に設定されるパラメータを決定する（Ｓ５８）。
【００２７】
次いで、第１指定色、第２指定色それぞれの設定に従い、実際にＦＡＸ原稿の読み取り処理を読み取り部１６で行い、各色毎にそれぞれのページ画像データを生成して、生成したデータを画像記憶部１５に格納する（Ｓ５９、Ｓ６０）。具体的な処理手順は、ＦＡＸ原稿画像からＲＧＢ分解部１６Ａより画素ごとのＲＧＢ成分を抽出し、得たＲＧＢ成分から２色識別部１６Ｄによって各画素が第１指定色か第２指定色かを識別する。この識別処理を原稿内の全画素に対して行い、各色毎にそれぞれのページ画像データを生成して、画像記憶部１５に格納する。つまり、原稿内の第１指定色部分を画像記憶部１５の第１色画像部１５Ｒに格納し、原稿内の第１指定色部分を第２色画像部１５Ｂに格納する。
次に、画像記憶部１５に格納した画像を２色送信モードにより受信機側に伝送する。まず、第１色画像部１５Ｒに格納した画像を２色送信モードの手順に従って第１ページ目として送信する（Ｓ６１）。
第１ページ目の送信後に、次に第２ページ目を送信する必要があるので、受信機側にＭＰＳ信号を送信する（Ｓ６２）。
この後、ＭＰＳに応答して受信機側から返ってくるＭＣＦ（ＯＫ）の受信を確認して（Ｓ６３）、第２ページ目の画情報を格納されている第２色画像部１５Ｂから取り出して送信する（Ｓ６４）。
第２ページ目の送信後に、第２ページ目が最終ページであるから、受信機側にＥＯＰ信号を送信する（Ｓ６５）。この後、ＥＯＰに応答して受信機側から返ってくるＭＣＦ（ＯＫ）の受信を確認して（Ｓ６６）、ＤＣＮを受信機側に返して（Ｓ６７）、本フローを終了させる。
なお、上記のフローで、受信機側から返ってくるＭＣＦ（ＯＫ）の受信が確認できない場合には（Ｓ６３−いいえ、Ｓ６６−いいえ）、通信エラーの処理をして（Ｓ６８）、このフローを終了させる。
【００２８】
【発明の効果】
（１）　請求項１の発明に対応する効果
多色通信モード（作像に用いる複数の現像材の各色毎に生成された複数のページ画像データを一通信単位として送・受信する動作モード）の受信・印刷処理が可能なファクシミリ装置において、多色通信モードの受信が可能であることをプロトコルに宣言するか、否かを指示し、受信側で多色印刷出力を行うか否かを選択するようにしたので、例えば、２色印刷の作像部の片方の使用を制限したい場合、或いは単色で印刷することをユーザーが望む場合等の受信側で要求された使用条件に適応させて動作条件の設定を可能にし、利用形態の多様化を図ることを可能にする。
（２）　請求項２の発明に対応する効果
上記（１）の効果に加えて、多色印刷における作像部のいずれかが使用不可能な場合に、使用不可能な作像部に用いるページ画像を他の使用可能な作像部に用いるページ画像に合成した画像データを使用可能な作像部に用いて代行作像を行うようにしたので、印刷出力の異常を回避し、利用可能な印刷出力を得ることが可能になり利用性の向上を図ることが可能になる。
【００２９】
（３）　請求項３の発明に対応する効果
多色通信モード（作像に用いる複数の現像材の各色毎に生成された複数のページ画像データを一通信単位として送・受信する動作モード）の受信・印刷処理が可能なファクシミリ装置において、多色印刷における作像部のいずれかが使用不可能な場合に、使用不可能な作像部に用いるページ画像を他の使用可能な作像部に用いるページ画像に合成した画像データを使用可能な作像部に用いて代行作像を行うようにしたので、印刷出力の異常を回避し、利用可能な印刷出力を得ることが可能になり利用性の向上を図ることが可能になる。
（４）　請求項４の発明に対応する効果
上記（２）、（３）の効果に加えて、多色印刷における作像部のいずれかが使用不可能な場合に、代行作像をするか、否かを指示し、印刷出力の選択を可能にしたので、ユーザーの意に反して代行印刷が行われることが無く、無駄な処理を行わずに済む。
【００３０】
（５）　請求項５の発明に対応する効果
多色通信モード（作像に用いる複数の現像材の各色毎に生成された複数のページ画像データを一通信単位として送・受信する動作モード）の送信処理が可能なファクシミリ装置において、受信側で多色通信モードが適用可能であることがプロトコルに宣言されていない場合に対応して、その旨を表すメッセージを送信側の表示部に示すようにしたことにより、送信が中止されたことを知り、対応策を講じることが可能になり、信頼性が向上する。
（６）　請求項６の発明に対応する効果
多色通信モードの動作が可能な送信側のファクシミリ装置と多色通信モードの動作で送信されてくるＦＡＸ信号を受信、多色印刷を行う受信側のファクシミリ装置とを通信手段を介して接続したシステムにおいて、上記（１）〜（５）の効果を具現化することができる。
【図面の簡単な説明】
【図１】本発明の実施形態に係わるファクシミリ装置の処理システムのハード構成を示したブロック図である。
【図２】本発明の実施形態に係わる２色通信モードのＦＡＸ伝送手順を示すチャートである。
【図３】２色通信モードの伝送手順に従う受信機側の受信・印刷処理のフロー図を示す。
【図４】本発明の実施形態に係わるファクシミリ装置のメカニカルな部分の構成を示す概略図を示す。
【図５】２色通信モードの伝送手順に従う送信機側の読み取り・送信処理のフロー図を示す。
【符号の説明】
１１…ＣＰＵ、　　　　　　　　　　　　１４…入力操作部、
１５…画像記憶部、　　　　　　　　　１６…読み取り部、
１７…第１現像部、　　　　　　　　　１８…第２現像部、
１９…ＦＡＸ制御部、　　　　　　　　　２０…画像合成部、
４１…感光体ドラム、　　　　　　　　４６…黒トナー現像部、
４８…赤トナー現像部。
【図１】
2004072338.tif 000003
【図２】
2004072338.tif 000004
【図３】
2004072338.tif 000005
【図４】
2004072338.tif 000006
【図５】
2004072338.tif 000007